(57)【特許請求の範囲】
【請求項１】
光を出射する光源ユニットと、
前記光源ユニットの延びる方向に沿って延びており、前記光源ユニットを保持する保持ユニットと
を備え、
前記光源ユニットは、光源部と、前記光源部が取り付けられる取付部材と、前記光源部を覆うカバー部材とを含み、
前記カバー部材は、
前記方向に沿って延びる一対のベース部と、
前記ベース部から突出し、前記取付部材を保持する突壁部と、
前記突壁部を挟むように、前記一対のベース部から隆起する一対の隆起部と
を含み、
前記保持ユニットは、前記方向に沿って延びる一対の側壁面を有する凹部を含み、
前記一対の隆起部は、前記一対の側壁面の間に配置され、
前記隆起部は、前記凹部の前記側壁面に対向する傾斜部を有し、
前記傾斜部は、前記ベース部から前記突壁部に向かって傾斜している、照明器具。
【請求項２】
前記隆起部と、前記隆起部の隣の前記突壁部とは、一定間隔をおいて配置される、請求項１に記載の照明器具。
【請求項３】
前記保持ユニットは、
各々が、前記凹部に沿って延びており、前記凹部の外側に向かって前記凹部から屈曲して設けられる一対の延設部と、
各々が、前記延設部と前記凹部との境界に形成され、前記方向に沿って延びている一対の角部と
をさらに含み、
前記一対の隆起部は、前記一対の角部に当接する、請求項１又は請求項２に記載の照明器具。
【請求項４】
前記隆起部の前記ベース部に対する高さは、前記突壁部の前記ベース部に対する高さよりも低い、請求項１から請求項３のいずれか１項に記載の照明器具。
【請求項５】
前記隆起部は、前記方向に沿って延びている、請求項１から請求項４のいずれか１項に記載の照明器具。
【請求項６】
第１距離と第２距離との和は、第３距離と同一又は前記第３距離よりも大きく、
前記第１距離は、前記一対の隆起部のうちの一方の隆起部と他方の隆起部との間の距離であり、
前記第２距離は、前記一方の隆起部と、前記一方の隆起部が形成される前記ベース部の延びる方向に沿った外縁部との間の距離であり、
前記第３距離は、前記凹部の前記一対の側壁面のうちの一方の側壁面と他方の側壁面との間の距離である、請求項１から請求項５のいずれか１項に記載の照明器具。
【発明の詳細な説明】
【技術分野】
【０００１】
本発明は、照明器具に関する。
【背景技術】
【０００２】
特許文献１に記載された照明器具は、器具本体及び光源ユニットを備える。光源ユニットは器具本体に取り付けられる。光源ユニットは、ＬＥＤ基板、ＬＥＤ基板が取り付けられる取付部材、及びＬＥＤ基板を覆うようにして取付部材に取り付けられるカバー部材を含む。カバー部材は、取付部材に取り付けられる一対の突壁部を有する。一対の突壁部が器具本体に形成された収容凹部に挿入され、光源ユニットが器具本体に取り付けられる。
【先行技術文献】
【特許文献】
【０００３】
【特許文献１】特開２０１４−７８５１１号公報
【発明の概要】
【発明が解決しようとする課題】
【０００４】
しかしながら、特許文献１に記載された照明器具では、突壁部と収容凹部の側壁面とに間隙が形成されるため、光源ユニットが収容凹部において偏って配置される場合がある。
【０００５】
本発明は上記課題に鑑みてなされたものであり、その目的は、光源ユニットが偏って配置されることを抑制できる照明器具を提供することにある。
【課題を解決するための手段】
【０００６】
本願に開示する照明器具は、光源ユニットと、保持ユニットとを備える。光源ユニットは、光を出射する。保持ユニットは、前記光源ユニットの延びる方向に沿って延びており、前記光源ユニットを保持する。前記光源ユニットは、光源部と、前記光源部が取り付けられる取付部材と、前記光源部を覆うカバー部材とを含む。前記カバー部材は、前記方向に沿って延びる一対のベース部と、前記ベース部から突出し、前記取付部材を保持する突壁部と、前記突壁部を挟むように、前記一対のベース部から隆起する一対の隆起部とを含む。前記保持ユニットは、前記方向に沿って延びる一対の側壁面を有する凹部を含む。前記一対の隆起部は、前記一対の側壁面の間に配置される。
【０００７】
本願に開示する照明器具において、前記隆起部と、前記隆起部の隣の前記突壁部とは、一定間隔をおいて配置されることが好ましい。
【０００８】
本願に開示する照明器具において、前記保持ユニットは、一対の延設部と、一対の角部とをさらに含むことが好ましい。一対の延設部の各々は、前記凹部に沿って延びており、前記凹部の外側に向かって前記凹部から屈曲して設けられる。一対の角部の各々は、前記延設部と前記凹部との境界に形成され、前記方向に沿って延びている。前記一対の隆起部は、前記一対の角部に当接することが好ましい。
【０００９】
本願に開示する照明器具において、前記隆起部は、前記凹部の前記側壁面に対向する傾斜部を有し、前記傾斜部は、前記ベース部から前記突壁部に向かって傾斜していることが好ましい。
【００１０】
本願に開示する照明器具において、前記隆起部の前記ベース部に対する高さは、前記突壁部の前記ベース部に対する高さよりも低いことが好ましい。
【００１１】
本願に開示する照明器具において、前記隆起部は、前記方向に沿って延びていることが好ましい。
【００１２】
本願に開示する照明器具において、第１距離と第２距離との和は、第３距離と同一又は前記第３距離よりも大きいことが好ましい。前記第１距離は、前記一対の隆起部のうちの一方の隆起部と他方の隆起部との間の距離である。前記第２距離は、前記一方の隆起部と、前記一方の隆起部が形成される前記ベース部の延びる方向に沿った外縁部との間の距離である。前記第３距離は、前記凹部の前記一対の側壁面のうちの一方の側壁面と他方の側壁面との間の距離である。
【発明の効果】
【００１３】
本発明によれば、光源ユニットが偏って配置されることを抑制できる。
【図面の簡単な説明】
【００１４】
【図１】本発明の実施形態に係る照明器具を示す斜視図である。
【図２】本発明の実施形態に係る照明器具を示す分解斜視図である。
【図３】本発明の実施形態に係る照明器具の光源ユニット及び保持ユニットを示す斜視図である。
【図４】本発明の実施形態に係る照明器具のカバー部材の一部を示す斜視図である。
【図５】本発明の実施形態に係る照明器具のＸ軸に沿った断面図であり、光源ユニットの取付後の照明器具を示す図である。
【図６】本発明の実施形態に係る照明器具の一部を拡大して示す断面図である。
【図７】本発明の実施形態に係る照明器具のＸ軸に沿った断面図であり、光源ユニットの取付前の照明器具を示す図である。
【図８】（ａ）本発明の実施形態に係る照明器具の第１変形例に係る第１隆起部を示す断面図である。（ｂ）本発明の実施形態に係る照明器具の第２変形例に係る第１隆起部を示す断面図である。（ｃ）本発明の実施形態に係る照明器具の第３変形例に係る第１隆起部を示す断面図である。
【図９】（ａ）本発明の実施形態に係る照明器具の第４変形例に係る第１隆起部を示す断面図である。（ｂ）本発明の実施形態に係る照明器具の第５変形例に係る第１隆起部を示す断面図である。
【図１０】本発明の実施形態に係る照明器具の第６変形例に係る第１隆起部を示す断面図である。
【図１１】本発明の実施形態に係る照明器具のキャップ部材を示す斜視図である。
【発明を実施するための形態】
【００１５】
以下、本発明の実施形態について、図面を参照しながら説明する。なお、図中、同一または相当部分については同一の参照符号を付して説明を繰り返さない。本発明の実施形態において、Ｘ軸、Ｙ軸、及びＺ軸は互いに直交し、Ｘ軸及びＹ軸は水平面に平行であり、Ｚ軸は鉛直線に平行である。
【００１６】
図１は、本発明の実施形態に係る照明器具１を示す斜視図である。照明器具１は、光源ユニット３と保持ユニット５とを備える。光源ユニット３は光を出射する。保持ユニット５は、光源ユニット３の延びる方向Ｄ（本実施形態では、Ｙ軸に沿った方向）に沿って延びており、光源ユニット３を保持する。保持ユニット５は、建造物等における取付部に取り付けられる。本実施形態では、取付部は建造物における部屋の天井面である。なお、本実施形態において、各部材、各部、及び各面の延びる方向を、各部材、各部、及び各面の長手方向と記載する。各部材、各部、及び各面の延びる方向は、方向Ｄと略平行である。
【００１７】
図２を参照して、光源ユニット３及び保持ユニット５の詳細について説明する。図２は、照明器具１を示す分解斜視図である。光源ユニット３は、カバー部材４０、一対のキャップ部材８０、光源部９０、取付部材１００、引掛金具１１０、固定バネ１１２、電源装置１１４、及び端子台１１６を含む。
【００１８】
カバー部材４０は、方向Ｄに沿って延びており、光源部９０を覆い、光源部９０が出射した光を拡散する。カバー部材４０は、例えば、合成樹脂（例えば、ポリカーボネート）を押出成形することによって形成される。カバー部材４０の色彩は、例えば、白色の半透明である。カバー部材４０は、例えば、セードである。カバー部材４０の下面（つまり、照明器具１を天井面に取り付けたときに下側を向く面）は湾曲している。カバー部材４０は、例えば、半円柱形状に形成される。カバー部材４０は、白色半透明の他、光拡散材料を含有した樹脂で成形したり、透明材料で成形した後に表面に光拡散処理を施したりしてもよい。
【００１９】
一対のキャップ部材８０は、カバー部材４０の長手方向の一対の端部に取り付けられる。本実施形態では、キャップ部材８０は、カバー部材４０と同じ素材で形成され、カバー部材４０に溶着される。ただし、キャップ部材８０は、カバー部材４０と異なる素材で形成されていてもよい。
【００２０】
光源部９０は、方向Ｄに沿って延びており、直線状に並んだ２つのＬＥＤユニット９１を含む。ＬＥＤユニット９１の各々は、光を発光する複数のＬＥＤ（Ｌｉｇｈｔ  Ｅｍｉｔｔｉｎｇ  Ｄｉｏｄｅ）９２、及び基板９４を含む。複数のＬＥＤ９２は、例えば、直線状に配列されて、基板９４の実装面９４ａに実装される。本実施形態では、光源部９０は２つのＬＥＤユニット９１を含む構成としたが、１つのＬＥＤユニットでもよいし、３つ以上のＬＥＤユニットを含む構成としてもよい。
【００２１】
取付部材１００は、方向Ｄに沿って延びており、断面略Ｕ字状である。取付部材１００は、底壁部１０２と、互いに対向する一対の側壁部１０４とを有する。一対の側壁部１０４は、底壁部１０２の長手方向に沿った一対の側縁部から上方に向かって略垂直に延びている。底壁部１０２の下面１０２ａと各基板９４の実装面９４ａの反対面とが対向するように、取付部材１００に光源部９０が取り付けられる。
【００２２】
引掛金具１１０は、底壁部１０２の上面に配置され、取付部材１００の長手方向の一方端部に固定される。引掛金具１１０は鉤状の先端部を有する。
【００２３】
固定バネ１１２は、底壁部１０２の上面に配置され、取付部材１００の長手方向の他方端部に固定される。固定バネ１１２は、底壁部１０２の上面に向かって付勢されている。具体的には、固定バネ１１２は、略Ｕ字状の結合部と、結合部の基端に形成された一対のコイルバネとを有する。そして、結合部は、一対のコイルばねによって、底壁部１０２の上面に向かって付勢されている。
【００２４】
電源装置１１４は、底壁部１０２の上面に配置され、取付部材１００の長手方向の中央よりも引掛金具１１０の側に取り付けられる。電源装置１１４は、電源部１１４ａと、電源部１１４ａを収容する金属製のケース１１４ｂとを含む。電源部１１４ａは、外部電源電圧に基づいて、各ＬＥＤ９２を点灯させるための電力を各ＬＥＤ９２に供給する。なお、電源装置１１４は、保持ユニット５の凹部１３０内に配置してもよく、例えば、天壁面１３０ａに配置してもよい。
【００２５】
端子台１１６は、底壁部１０２の上面に配置され、取付部材１００の長手方向の中央よりも固定バネ１１２の側に取り付けられる。端子台１１６によって、天井から引き出された電源線と電源部１１４ａから延びる電源線とが接続される。その結果、電源部１１４ａに外部電源電圧が供給される。なお、端子台１１６は、保持ユニット５の凹部１３０内に配置してもよく、例えば、天壁面１３０ａに配置してもよい。
【００２６】
保持ユニット５は、凹部１３０、一対の延設部１３２、一対の角部１３３、一対のエンド部材１３４、受け具１３５、及び仮吊り部１３７を含む。本実施形態では、凹部１３０、延設部１３２、及び角部１３３は、鋼板を折曲加工することによって形成される。
【００２７】
凹部１３０は、方向Ｄに沿って延びており、溝状である。凹部１３０は、断面略Ｕ字状であり、取付部材１００の上面に向かって開口している。凹部１３０は、天壁面１３０ａと、互いに対向する一対の側壁面１３０ｂとを有する。天壁面１３０ａ及び一対の側壁面１３０ｂは、方向Ｄに沿って延びている。一対の側壁面１３０ｂは、天壁面１３０ａの長手方向に沿った一対の側縁から下方に向かって略垂直に延びている。天壁面１３０ａの長手方向の略中央には、天井から引き出された電源線を端子台１１６に導くための貫通孔１３６ａが形成される。天壁面１３０ａには、貫通孔１３６ａを挟むように、一対の貫通孔１３６ｂが形成される。一対の貫通孔１３６ｂには、天井から突出する一対のボルトが通される。そして、一対のナットを一対のボルトに螺合し、締め付けることによって、保持ユニット５が天井に固定される。
【００２８】
延設部１３２は、凹部１３０に沿って延びている。延設部１３２は、側壁面１３０ｂに対して鋭角を形成するように、凹部１３０の外側に向かって凹部１３０から屈曲して設けられる。具体的には、延設部１３２は、側壁面１３０ｂの長手方向に沿った下端縁から斜め上方に向かって傾斜している。延設部１３２の傾斜面は、光源ユニット３が出射した光を効率良く反射するために、白色塗装などの反射加工が施されていることが好ましい。
【００２９】
角部１３３は、延設部１３２と凹部１３０との境界に形成され、方向Ｄに沿って延びている。一対のエンド部材１３４は、保持ユニット５の長手方向の一対の端部を構成する。受け具１３５は、天壁面１３０ａに配置され、固定バネ１１２に対応して、凹部１３０の長手方向の一方端部に取り付けられる。仮吊り部１３７は、貫通孔を有し、受け具１３５に近傍において、天壁面１３０ａに形成される。
【００３０】
図２及び図３を参照して、光源ユニット３の保持ユニット５への取付方法の一例について説明する。図３は、光源ユニット３及び保持ユニット５を示す斜視図である。図２及び図３に示すように、光源ユニット３は、取付部材１００に紐によって取り付けられた鉤状の仮吊り部材１１８をさらに含む。
【００３１】
まず、作業者は、光源ユニット３の一方端部を矢印Ａ１の方向に動かして、光源ユニット３の引掛金具１１０を保持ユニット５の一方のエンド部材１３４の裏部に引っ掛ける。次に、作業者は、光源ユニット３の他方端部と共に仮吊り部材１１８を矢印Ａ２の方向に動かして、仮吊り部材１１８を保持ユニット５の仮吊り部１３７に引っ掛ける。次に、作業者は、光源ユニット３の固定バネ１１２を付勢力に抗して持ち上げ、光源ユニット３の他方端部と共に固定バネ１１２を矢印Ａ３の方向に動かして、保持ユニット５の受け具１３５に固定バネ１１２を結合させる。そして、作業者は、光源ユニット３を矢印Ａ４の方向に押し上げる。その結果、光源ユニット３が保持ユニット５に取り付けられる。
【００３２】
図４を参照して、カバー部材４０の詳細について説明する。図４は、カバー部材４０の一部を示す斜視図である。カバー部材４０は、一対の第１ベース部４２（一対のベース部）、一対の側壁部４４、一対の張出部４６、カバー部４８、一対の突壁部５０、及び一対の第１隆起部５２（一対の隆起部）を含む。
【００３３】
一対の第１ベース部４２の各々の上面は、平坦であり、方向Ｄに沿って延びる。一対の側壁部４４の各々は、方向Ｄに沿って延びており、第１ベース部４２の長手方向に沿った外縁部から斜め下方に傾斜するように形成される。一対の張出部４６の各々は、方向Ｄに沿って延びており、側壁部４４からカバー部材４０の外側に向かって張り出している。
【００３４】
カバー部４８は、方向Ｄに沿って延びており、一対の張出部４６のうちの一方の張出部４６と他方の張出部４６との間に形成され、光源部９０（図２）を覆う。カバー部４８は、第１ベース部４２から離れる方向に向かって凸状に湾曲している。
【００３５】
一対の突壁部５０は互いに対向している。突壁部５０は、第１ベース部４２から略垂直に突出する。突壁部５０は、方向Ｄに沿って、カバー部材４０の長手方向の一方端から他方端まで延びている。従って、突壁部５０を含むカバー部材４０を押出成形によって容易に製造できる。突壁部５０の上部には嵌合凹部５０ａが形成される。突壁部５０の先端部は鉤状である。
【００３６】
一対の第１隆起部５２は、一対の突壁部５０を挟むように、一対の第１ベース部４２から隆起する。具体的には、一対の第１隆起部５２は、一対の突壁部５０よりも、突壁部５０に直交する方向（つまり、Ｘ軸方向）の外側に配置される。このように、一対の第１隆起部５２は、一対の突壁部５０を挟む位置に配置される。そして、一対の第１隆起部５２は、一対の第１ベース部４２から上方に向かって（つまり、Ｚ軸の正方向に）隆起する。第１隆起部５２と、第１隆起部５２の隣の突壁部５０とは、一定間隔をおいて配置される。すなわち、第１隆起部５２と第１隆起部５２の隣の突壁部５０との間には、第１ベース部４２の上面の一部が露出している。第１隆起部５２は、方向Ｄに沿って、カバー部材４０の長手方向の一方端から他方端まで直線状に延びている。従って、第１隆起部５２を含むカバー部材４０を押出成形によって容易に製造できる。
【００３７】
なお、カバー部材４０の長手方向の一対の端部に形成された一対の開口５４は、一対のキャップ部材８０（図２）によって塞がれる。
【００３８】
図５及び図６を参照して、第１隆起部５２について説明する。図５は、図１に示す照明器具１のＸ軸に沿った断面図である。図５において、光源ユニット３は保持ユニット５に取り付けられている。図６は、照明器具１の一部を拡大して示す断面図である。
【００３９】
図５に示すように、光源ユニット３は、一対の突壁部５０と一対の第１隆起部５２とが一対の側壁面１３０ｂの間に配置されるように、保持ユニット５に取り付けられる。そして、図６に示すように、保持ユニット５の角部１３３は、第１ベース部４２に当接する。具体的には、角部１３３は断面視で曲面を有し、この曲面が第１ベース部４２に当接する。角部１３３が曲面を有することにより、第１ベース部４２に対する当接面積は小さく、当接部分の形状が線状となる。したがって、第１ベース部４２の加工精度および保持ユニット５の加工精度にバラツキがあっても、角部１３３と第１ベース部４２とはがたつきが無く当接する。仮に、角部１３３と第１ベース部４２とを面当接させる構成では、第１ベース部４２の加工精度および保持ユニット５の加工精度にバラツキがあった場合、角部１３３と第１ベース部４２との間にがたつきが生じる場合がある。
【００４０】
以上、図５を参照して説明したように、本実施形態によれば、第１隆起部５２を有しない場合と比較して、カバー部材４０と凹部１３０の側壁面１３０ｂとの間隙が小さくなる。つまり、第１隆起部５２と側壁面１３０ｂとの間隙Ｇ１は、突壁部５０と側壁面１３０ｂとの間隙Ｇ２よりも小さい。その結果、光源ユニット３が、凹部１３０においてＸ軸方向に偏って配置されることを抑制できる。これにより、光源ユニット３が偏って配置されることによって発生する隙間を介して凹部１３０内に埃等の異物が進入することを抑制したり、光源ユニット３が保持ユニット５に対してＸ軸方向に傾いて配置されることを抑制したりすることができる。また、光源ユニット３が保持ユニット５に装着された状態において、光源ユニット３のがたつきを抑制できる。本実施形態では、第１隆起部５２が第１ベース部４２に形成され、第１ベース部４２は方向Ｄに沿っているため、方向Ｄに交差する方向への光源ユニット３の偏り及びがたつきが抑制される。
【００４１】
また、図５に示すように、本実施形態によれば、取付部材１００の側壁部１０４が突壁部５０の内壁面に密着するように、側壁部１０４の上部が突壁部５０の嵌合凹部５０ａに嵌合される。その結果、取付部材１００は一対の突壁部５０に保持される。加えて、取付部材１００の長手方向に沿った一対の側縁部は、一対の第１ベース部４２によって支持される。従って、カバー部材４０は、一対の突壁部５０と一対の第１ベース部４２とによって、取付部材１００を安定して保持できる。
【００４２】
さらに、図６に示すように、本実施形態によれば、第１隆起部５２の第１ベース部４２に対する高さＨ１は、突壁部５０の第１ベース部４２に対する高さＨ２よりも低い。従って、第１隆起部５２を含むカバー部材４０を押出成形によって更に容易に製造できる。また、高さＨ１が高さＨ２よりも低いため、光源ユニット３の保持ユニット５への取付作業が容易になる。つまり、作業者は、一対の突壁部５０を凹部１３０に挿入して、光源ユニット３を大まかに位置決めし、その後に、一対の第１隆起部５２を凹部１３０に挿入して、最終的な位置決めをすることによって、保持ユニット５に光源ユニット３を容易に取り付けることができる。
【００４３】
さらに、本実施形態によれば、第１隆起部５２と突壁部５０とは、一定間隔をおいて配置される。従って、作業者は、第１隆起部５２を容易に視認でき、保持ユニット５に光源ユニット３を更に容易に取り付けることができる。
【００４４】
さらに、本実施形態によれば、一対の張出部４６を設けている。従って、塵等の異物が凹部１３０に入り込むことを抑制できる。加えて、凹部１３０の内部が見えることを抑制でき、美感を向上できる。
【００４５】
なお、図５では、図面の簡略化のため、照明器具１の構成のうち、保持ユニット５、カバー部材４０、及び取付部材１００だけを示している。また、図６では、図面の簡略化のため、照明器具１の構成のうち、カバー部材４０及び保持ユニット５の一部だけが示される。
【００４６】
図７を参照して、引き続き、第１隆起部５２について説明する。図７は、図１に示す照明器具１のＸ軸に沿った断面図である。図７においては、光源ユニット３は保持ユニット５に取り付けられていない。
【００４７】
第１距離Ｗ１は、一対の第１隆起部５２のうちの一方の第１隆起部５２と他方の第１隆起部５２との間の距離である。具体的には、第１距離Ｗ１は、一対の第１隆起部５２のうちの一方の第１隆起部５２の外壁面の基端と他方の第１隆起部５２の外壁面の基端との間の距離である。
【００４８】
第２距離Ｗ２は、一方の第１隆起部５２と、その第１隆起部５２が形成される第１ベース部４２の長手方向に沿った外縁部との間の距離である。具体的には、第２距離Ｗ２は、第１隆起部５２の外壁面の基端と、第１ベース部４２の長手方向に沿った外縁との間の距離である。
【００４９】
第３距離Ｗ３は、凹部１３０の一対の側壁面１３０ｂのうちの一方の側壁面１３０ｂと他方の側壁面１３０ｂとの間の距離である。
【００５０】
本実施形態では、第１距離Ｗ１は、第３距離Ｗ３よりも短い。従って、一対の第１隆起部５２を凹部１３０に挿入できる。例えば、温度変化により、カバー部材４０及び／又は第１隆起部５２が熱膨張した場合であっても、一対の第１隆起部５２を凹部１３０に容易に挿入できる。
【００５１】
また、本実施形態では、第１距離Ｗ１と第２距離Ｗ２との和は、第３距離Ｗ３と同一又は第３距離Ｗ３よりも大きい。従って、凹部１３０がカバー部材４０によって覆われる。その結果、塵等の異物が凹部１３０に入り込むことを更に抑制できる。また、凹部１３０の内部が見えないため、更に美感を向上できる。
【００５２】
なお、図７では、図面の簡略化のため、照明器具１の構成のうち、保持ユニット５、カバー部材４０、及び取付部材１００だけを示している。
【００５３】
図６及び図８を参照して、第１隆起部５２の第１変形例〜第３変形例について説明する。図６に示すように、第１隆起部５２の断面形状は略鐘状である。ただし、第１隆起部５２の断面形状は略鐘状に限定されない。例えば、次のような変形が可能である。
【００５４】
図８（ａ）は、第１変形例に係る第１隆起部５２を示す断面図である。第１変形例に係る第１隆起部５２の断面形状は、三角形状である。第１隆起部５２は、外壁面５２ａ（傾斜部）及び内壁面５２ｂを有する。外壁面５２ａは、平坦面であり、第１ベース部４２から突壁部５０に向かって上方に傾斜している。内壁面５２ｂは、傾斜しているが、任意の形状を取り得る。第１変形例に係る第１隆起部５２がカバー部材４０の長手方向に連続的に形成されている場合は、第１隆起部５２の全体形状は三角柱状である。
【００５５】
図８（ｂ）は、第２変形例に係る第１隆起部５２を示す断面図である。第２変形例に係る第１隆起部５２の断面形状は半円状である。第１隆起部５２は、外壁面５２ａ（傾斜部）及び内壁面５２ｂを有する。外壁面５２ａは、曲面であり、第１ベース部４２から突壁部５０に向かって上方に傾斜している。内壁面５２ｂは曲面であるが、任意の形状を取り得る。外壁面５２ａと内壁面５２ｂとで、曲率は、同一でもよいし、異なっていてもよい。第２変形例に係る第１隆起部５２がカバー部材４０の長手方向に連続的に形成されている場合は、第１隆起部５２の全体形状は半円柱状である。
【００５６】
図８（ｃ）は、第３変形例に係る第１隆起部５２を示す断面図である。第３変形例に係る第１隆起部５２の断面形状は矩形状である。第１隆起部５２は、外壁面５２ａ及び内壁面５２ｂを有する。外壁面５２ａは、側壁面１３０ｂに略平行である。ただし、外壁面５２ａの一部が、側壁面１３０ｂに略平行であってもよい。内壁面５２ｂは、側壁面１３０ｂに略平行であるが、任意の形状を取り得る。第３変形例に係る第１隆起部５２がカバー部材４０の長手方向に連続的に形成されている場合は、第１隆起部５２の全体形状は四角柱状である。
【００５７】
図８（ａ）〜図８（ｃ）に示すように、第１隆起部５２の外壁面５２ａは、側壁面１３０ｂに対向し、側壁面１３０ｂに当接可能である。
【００５８】
以上、図８（ａ）〜図８（ｃ）を参照して説明したように、本実施形態の第１変形例〜第３変形例に係る第１隆起部５２を設けることによって、本実施形態の第１隆起部５２（図６）と同様に、光源ユニット３が偏って配置されることを抑制できる。その他、第１変形例〜第３変形例に係る第１隆起部５２は、本実施形態の第１隆起部５２と同様の効果を有する。なお、図８（ａ）〜図８（ｃ）では、図面の簡略化のため、照明器具１の構成のうち、カバー部材４０及び保持ユニット５の一部だけが示される。
【００５９】
図６及び図９を参照して、第１隆起部５２の第４変形例及び第５変形例について説明する。図６に示すように、第１隆起部５２と突壁部５０とは、分離して形成される。ただし、第１隆起部５２と、第１隆起部５２の隣の突壁部５０とは、一体的に形成されてもよい。つまり、第１隆起部５２は、突壁部５０の基端部を構成してもよい。例えば、次のような変形が可能である。
【００６０】
図９（ａ）は、第４変形例に係る第１隆起部５２を示す断面図である。第４変形例に係る第１隆起部５２は、突壁部５０と一体的に形成され、外壁面５２ａ（傾斜部）を有する。外壁面５２ａは、第１ベース部４２から突壁部５０に向かって上方に傾斜している。
【００６１】
図９（ｂ）は、第５変形例に係る第１隆起部５２を示す断面図である。第５変形例に係る第１隆起部５２は、突壁部５０と一体的に形成され、外壁面５２ａを有する。外壁面５２ａは、側壁面１３０ｂに略平行である。ただし、外壁面５２ａの一部が、側壁面１３０ｂに略平行であってもよい。
【００６２】
図９（ａ）及び図９（ｂ）に示すように、外壁面５２ａは、側壁面１３０ｂに対向し、側壁面１３０ｂに当接可能である。
【００６３】
以上、図９（ａ）及び図９（ｂ）を参照して説明したように、本実施形態の第４変形例及び第５変形例によれば、第１隆起部５２と突壁部５０とが一体的に形成されるため、第１隆起部５２及び突壁部５０の強度を向上できる。その他、第４変形例及び第５変形例に係る第１隆起部５２は、本実施形態の第１隆起部５２（図６）と同様の効果を有する。なお、図９（ａ）及び図９（ｂ）では、図面の簡略化のため、照明器具１の構成のうち、カバー部材４０及び保持ユニット５の一部だけが示される。
【００６４】
図７及び図１０を参照して、第１隆起部５２の第６変形例について説明する。図７に示すように、第１距離Ｗ１は、第３距離Ｗ３よりも短い。ただし、第１距離Ｗ１は、第３距離Ｗ３と同一であってもよいし、第３距離Ｗ３より長くてもよい。例えば、次のような変形が可能である。なお、図１０では、図面の簡略化のため、カバー部材４０及び保持ユニット５の一部だけが示される。
【００６５】
図１０は、第６変形例に係る第１隆起部５２を示す断面図である。第１距離Ｗ１は、第３距離Ｗ３よりも長い。そして、第１隆起部５２は、第１変形例に係る第１隆起部５２（図８（ａ））と同じであり、外壁面５２ａは傾斜している。従って、光源ユニット３が保持ユニット５に取り付けられると、一対の第１隆起部５２は、一対の角部１３３に当接する。具体的には、外壁面５２ａの各々が、対向する角部１３３に当接する。なお、第１隆起部５２として、第２変形例に係る第１隆起部５２（図８（ｂ））を採用することもできるし、第４変形例に係る第１隆起部５２（図９（ａ））を採用することもできる。
【００６６】
以上、図１０を参照して説明したように、本実施形態の第６変形例によれば、一対の第１隆起部５２は一対の角部１３３に当接する。従って、第１隆起部５２と凹部１３０の側壁面１３０ｂとの間隙が更に小さくなるか、又は間隙がなくなる。その結果、光源ユニット３が凹部１３０において偏って配置されることを更に抑制できる。また、光源ユニット３が、がたつくことを更に抑制できる。第６変形例では、第１隆起部５２が第１ベース部４２に形成されており、第１ベース部４２は方向Ｄに沿っているため、方向Ｄに交差する方向への光源ユニット３の偏り及びがたつきが更に抑制される。さらに、凹部１３０がカバー部材４０によって確実に覆われるため、塵等の異物が凹部１３０に入り込むことを更に抑制できる。また、凹部１３０の内部が見えないため、更に美感を向上できる。なお、図１０では、図面の簡略化のため、照明器具１の構成のうち、カバー部材４０及び保持ユニット５の一部だけが示される。また、図８（ａ）、図８（ｂ）、及び図９（ａ）に示すように、第１隆起部５２の外壁面５２ａを傾斜させることによって、一対の第１隆起部５２を一対の角部１３３に当接させる構成を容易に形成できる。
【００６７】
図１１を参照して、キャップ部材８０について説明する。図１１は、キャップ部材８０を示す斜視図である。なお、図１１は、一対のキャップ部材８０のうちの一方のキャップ部材８０を示すが、他方のキャップ部材８０の構成は、一方のキャップ部材８０の構成と同様であり、説明を省略する。
【００６８】
キャップ部材８０は、第２ベース部８２、第２隆起部８４、及び壁部８６を含む。第２ベース部８２は、カバー部材４０の開口５４（図４）を塞ぐ。第２隆起部８４は、第２ベース部８２の上面から隆起し、方向Ｄに直交する方向に沿って線状に延びる。第２隆起部８４の形状は、特に限定されないが、例えば、図６、図８（ａ）、図８（ｂ）、又は図８（ｃ）に示す第１隆起部５２の形状と同様の形状を採用することができる。一対のキャップ部材８０の一対の第２隆起部８４は、一対のエンド部材１３４（図２）の間に配置される。
【００６９】
壁部８６は、板状であり、第２ベース部８２の上面から起立している。壁部８６は、取付部材１００（図２）の長手方向の端部に形成された開口の一部を塞ぐ。第２隆起部８４と壁部８６とは、一定間隔をおいて配置される。なお、第２隆起部８４と壁部８６とは、一体的に形成されてもよい。つまり、第２隆起部８４は、壁部８６の基端部を構成してもよい。この場合、例えば、図９（ａ）又は図９（ｂ）に示す第１隆起部５２及び突壁部５０と同様に、第２隆起部８４と壁部８６とを一体的に形成することができる。
【００７０】
以上、図１１を参照して説明したように、本実施形態によれば、第２隆起部８４を有しない場合と比較して、カバー部材４０とエンド部材１３４との間隙が小さくなる。つまり、第２隆起部８４とエンド部材１３４との間隙は、壁部８６とエンド部材１３４との間隙よりも小さい。その結果、光源ユニット３が凹部１３０において方向Ｄに偏って配置されることを抑制できる。また、光源ユニット３が、方向Ｄにがたつくことを抑制できる。この場合、第２隆起部８４が第２ベース部８２に形成され、第２ベース部８２は方向Ｄに交差する方向に沿っているため、方向Ｄへの光源ユニット３の偏り及びがたつきが抑制される。その他、第２隆起部８４は、第１隆起部５２と同様の効果を有する。
【００７１】
以上、図面（図１〜図１１）を参照しながら本発明の実施形態について説明した。但し、本発明は、上記の実施形態及び変形例に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００７２】
（１）第１隆起部５２は、第１ベース部４２の長手方向の一方端から他方端まで延びているが、これに限定されない。第１隆起部５２は、第１ベース部４２の一部に設けられてもよい。第１隆起部５２を第１ベース部４２の一部に設ける場合は、第１ベース部４２の長手方向の略中央に設けることが好ましい。
【００７３】
また、一対の第１ベース部４２の各々において、１つの第１隆起部５２が形成されるが、これに限定されない。各第１ベース部４２において、複数の第１隆起部５２が形成されてもよい。
【００７４】
さらに、第１隆起部５２は、線状であるが、これに限定されない。第１隆起部５２は、突起状でもよい。この場合、第１隆起部５２は、例えば、角柱状、円柱状、円錐状、角錐状、又は半球状である。第１隆起部５２を突起状に形成する場合、一対の第１ベース部４２の各々に、複数の第１隆起部５２を形成することが好ましい。
【００７５】
なお、各第１ベース部４２に複数の第１隆起部５２を形成する場合は、各第１ベース部４２において、少なくとも２つの第１隆起部５２は、第１ベース部４２の長手方向の一方端部と他方端部とに形成することが好ましい。
【００７６】
（２）第２隆起部８４は、第１隆起部５２と同様の変形が可能である。
【００７７】
（３）照明器具１には、第１隆起部５２と第２隆起部８４との双方が設けられたが、これに限定されない。照明器具１には、第１隆起部５２だけが設けられてもよいし、第２隆起部８４だけが設けられてもよい。
【００７８】
（４）光源部９０は、ＬＥＤ９２を含むが、これに限定されない。例えば、光源部９０は、ＬＥＤ９２に代えて、蛍光灯を含んでもよい。
【００７９】
（５）電源装置１１４及び端子台１１６は、取付部材１００に取り付けられるが、これに限定されない。例えば、電源装置１１４及び端子台１１６は、保持ユニット５の凹部１３０に取り付けられてよい。
【００８０】
（６）延設部１３２は、側壁面１３０ｂに対して略直角又は鈍角を形成するように、凹部１３０の外側に向かって凹部１３０から屈曲して設けられてもよい。
【００８１】
本明細書は、さらに以下の付記を開示する。
【００８２】
（付記１）
本願に開示する照明器具は、光源ユニットと、保持ユニットとを備える。光源ユニットは、光を出射する。保持ユニットは、前記光源ユニットの延びる方向に沿って延びており、前記光源ユニットを保持する。前記光源ユニットは、光源部と、前記光源部が取り付けられる取付部材と、前記光源部を覆うカバー部材とを含む。前記カバー部材は、前記方向に沿って延びる一対の第１ベース部と、前記一対の第１ベース部から突出し、前記取付部材を保持する一対の突壁部と、前記一対の突壁部を挟むように、前記一対の第１ベース部から隆起する一対の第１隆起部とを含む。前記保持ユニットは、前記方向に沿って延びる一対の側壁面を有する凹部を含む。前記一対の第１隆起部は、前記一対の側壁面の間に配置される。
【００８３】
（付記２）
本願に開示する照明器具において、前記第１隆起部と、前記第１隆起部の隣の前記突壁部とは、一定間隔をおいて配置されることが好ましい。
【００８４】
（付記３）
本願に開示する照明器具において、前記第１隆起部と、前記第１隆起部の隣の前記突壁部とは、一体的に形成されることが好ましい。
【００８５】
（付記４）
本願に開示する照明器具において、前記保持ユニットは、一対の第１傾斜部（一対の延設部１３２に対応）と、一対の角部とをさらに含むことが好ましい。一対の第１傾斜部の各々は、前記凹部の前記側壁面に対して鋭角を形成するように、前記凹部の外側に向かって傾斜している。一対の角部の各々は、前記第１傾斜部と前記凹部との境界に形成され、前記方向に沿って延びている。前記一対の第１隆起部は、前記一対の角部に当接することが好ましい。
【００８６】
（付記５）
本願に開示する照明器具において、前記第１隆起部は、前記凹部の前記側壁面に対向する第２傾斜部（外壁面５２ａに対応）を有し、前記第２傾斜部は、前記第１ベース部から前記突壁部に向かって傾斜していることが好ましい。  
【００８７】
（付記６）
本願に開示する照明器具において、前記第１隆起部の前記第１ベース部に対する高さは、前記突壁部の前記第１ベース部に対する高さよりも低いことが好ましい。
【００８８】
（付記７）
本願に開示する照明器具において、前記第１隆起部は、前記方向に沿って延びていることが好ましい。
【００８９】
（付記８）
本願に開示する照明器具において、前記カバー部材は、一対の側壁部と、一対の張出部と、カバー部とをさらに含むことが好ましい。一対の側壁部の各々は、前記第１ベース部の延びる方向に沿った外縁部から形成される。一対の張出部は、前記一対の側壁部から張り出している。カバー部は、前記一対の張出部のうちの一方の張出部と他方の張出部との間に形成され、前記光源部を覆う。
【００９０】
（付記９）
本願に開示する照明器具において、第１距離と第２距離との和は、第３距離と同一又は前記第３距離よりも大きいことが好ましい。前記第１距離は、前記一対の第１隆起部のうちの一方の第１隆起部と他方の第１隆起部との間の距離である。前記第２距離は、前記一方の第１隆起部と、前記一方の第１隆起部が形成される前記第１ベース部の延びる方向に沿った外縁部との間の距離である。前記第３距離は、前記凹部の前記一対の側壁面のうちの一方の側壁面と他方の側壁面との間の距離である。
【００９１】
（付記１０）
本願に開示する照明器具において、前記光源ユニットは、前記カバー部材の延びる方向の一対の端部に取り付けられる一対のキャップ部材をさらに含むことが好ましい。前記キャップ部材の各々は、前記カバー部材の前記端部に形成された開口を塞ぐ第２ベース部と、前記第２ベース部から隆起する第２隆起部とを含むことが好ましい。
【産業上の利用可能性】
【００９２】
本発明は、照明器具を提供するものであり、産業上の利用可能性を有する。
【符号の説明】
【００９３】
１    照明器具
３    光源ユニット
５    保持ユニット
４０    カバー部材
４２    第１ベース部（ベース部）
４４    側壁部
４６    張出部
４８    カバー部
５０    突壁部
５２    第１隆起部（隆起部）
５２ａ    外壁面（傾斜部）
８０    キャップ部材
８２    第２ベース部
８４    第２隆起部
９０    光源部
１００    取付部材
１３０    凹部
１３０ａ    天壁面
１３０ｂ    側壁面
１３２    延設部
１３３    角部
【図１】
0006374317.tif 000002
【図２】
0006374317.tif 000003
【図３】
0006374317.tif 000004
【図４】
0006374317.tif 000005
【図５】
0006374317.tif 000006
【図６】
0006374317.tif 000007
【図７】
0006374317.tif 000008
【図８】
0006374317.tif 000009
【図９】
0006374317.tif 000010
【図１０】
0006374317.tif 000011
【図１１】
0006374317.tif 000012